(57)【要約】      （修正有）【課題】煙道を流れる排ガスを採取するときのみ、採取管の採取口が排ガスの上流側を確実に向くように、作業員が一人で操作することが可能な排ガス採取装置を提供する。【解決手段】排ガスの排出管の管壁を貫通する貫通孔と、排ガスを採取するための開口を有し、排出管から貫通孔を介して突出する突出管と、を含む排ガス採取装置である。排出管内の排ガスを採取する採取管１００と、採取管が突出管及び貫通孔を通って排出管内に挿入されると、開口の端に形成される鍔部に重なり合って開口を塞ぐ採取管と同軸の蓋部材２００と、蓋部材が鍔部に重なり合った状態で、採取管の先端における排ガスの採取口が排ガスの上流側を向くように採取管を回転させる採取管と同軸の回転部材３００と、回転部材の回転に連動し、採取口が排ガスの上流側を向くと、蓋部材が鍔部から動かなくなるように固定する固定部材４００と、を備える。【選択図】図３
2019056576.tif 000002
【特許請求の範囲】
【請求項１】
燃料が燃焼した後に発生する排ガスを排出する排出管と、前記排出管の管壁を貫通する貫通孔と、前記排ガスを採取するための開口を有し、前記排出管から前記貫通孔を介して突出する突出管と、を含んで構成される燃焼システムの排ガス採取装置であって、
長尺形状を呈し、前記排出管内の前記排ガスを採取する採取管と、
前記採取管と同軸となるように設けられ、前記採取管が前記突出管及び前記貫通孔を通って前記排出管内に挿入されると、前記開口の端に形成される鍔部に重なり合って前記開口を塞ぐ蓋部材と、
前記採取管と同軸となるように設けられ、前記蓋部材が前記鍔部に重なり合った状態において、前記採取管の先端に設けられる前記排ガスの採取口が前記排ガスの上流側を向くように前記採取管を回転させる回転部材と、
前記回転部材の回転に連動し、前記採取口が前記排ガスの上流側を向くと、前記蓋部材が前記鍔部から動かなくなるように固定する固定部材と、
を備えたことを特徴とする排ガス採取装置。
【請求項２】
前記固定部材は、第１紐部材と、前記第１紐部材を介して前記回転部材の第１位置に支持される第１係合片と、第２紐部材と、前記第２紐部材を介して前記回転部材の回転軸を境として前記第１位置とは反対側の第２位置に支持される第２係合片と、を含み、
前記採取口が前記排ガスの上流側を向く位置まで前記回転部材が回転すると、前記第１係合片は、前記第１紐部材が前記回転部材に巻き取られることによって、前記蓋部材が前記鍔部から動かなくなるように前記鍔部に係合し、前記第２係合片は、前記第２紐部材が前記回転部材に巻き取られることによって、前記蓋部材が前記鍔部から動かなくなるように前記鍔部に係合する
ことを特徴とする請求項１に記載の排ガス採取装置。
【請求項３】
前記採取口が前記排ガスの上流側を向く位置まで前記回転部材が回転すると、
前記第１係合片は、前記蓋部材及び前記鍔部の端から垂下した状態から引き上げられて、前記鍔部の前記蓋部材とは反対側の面に係合し、
前記第２係合片は、前記蓋部材及び前記鍔部の端から垂下した状態から引き上げられて、前記鍔部の前記蓋部材とは反対側の面に係合する
ことを特徴とする請求項２に記載の排ガス採取装置。
【請求項４】
前記蓋部材は、前記回転部材が所定量回転したときに前記採取口が前記排ガスの上流側を向くように、前記鍔部に対する固定位置を決定する目印を含んで構成される排ガス採取装置。
【発明の詳細な説明】
【技術分野】
【０００１】
本発明は、燃焼システムにおいて燃料が燃焼したときに発生する排ガスを試料として採取する排ガス採取装置に関する。
【背景技術】
【０００２】
例えば、火力発電所の発電用ボイラにおいて、タービンを回転させるための燃料（石油、石炭、液化天然ガス等）が燃焼したときに発生する排ガスは、煙道を通った後に煙突を通って大気中に放出されている。
【０００３】
上記の排ガスは大気汚染の防止を目的とする法令等の規制対象であるため、火力発電所の事業者は、煙道を流れる排ガスを採取して当該排ガス中における有害物質の有無（煤塵濃度、排ガス量等）を調べる検査を定期的に行うことを義務付けられている。例えば、煙道の管壁を貫通して設けられる開閉自在な貫通孔に対して採取管を挿入することによって、煙道を流れる排ガスを試料として採取している。
【先行技術文献】
【特許文献】
【０００４】
【特許文献１】特開２０１６−１６６８４７号公報
【発明の概要】
【発明が解決しようとする課題】
【０００５】
しかし、煙道を流れる排ガスを採取するときのみ、採取管の採取口が排ガスの上流側を向くように調節しなければならないため、煙道に採取管を設置するための作業が複雑になる虞があった。
【０００６】
そこで、本発明は、煙道を流れる排ガスを採取するときのみ、採取管の採取口が排ガスの上流側を確実に向くように、作業員が一人で操作することが可能な排ガス採取装置を提供することを目的とする。
【課題を解決するための手段】
【０００７】
前述した課題を解決する主たる本発明は、燃料が燃焼したときに発生する排ガスを排出する排出管と、前記排出管の管壁を貫通する貫通孔と、前記排ガスを採取するための開口を有し、前記排出管から前記貫通孔を介して突出する突出管と、を含んで構成される燃焼システムの排ガス採取装置であって、長尺形状を呈し、前記排出管内の前記排ガスを採取する採取管と、前記採取管と同軸となるように設けられ、前記採取管が前記突出管及び前記貫通孔を通って前記排出管内に挿入されると、前記開口の端に形成される鍔部に重なり合って前記開口を塞ぐ蓋部材と、前記採取管と同軸となるように設けられ、前記蓋部材が前記鍔部に重なり合った状態において、前記採取管の先端に設けられる前記排ガスの採取口が前記排ガスの上流側を向くように前記採取管を回転させる回転部材と、前記回転部材の回転に連動し、前記採取口が前記排ガスの上流側を向くと、前記蓋部材が前記鍔部から動かなくなるように固定する固定部材と、を備える。
【０００８】
本発明の他の特徴については、添付図面及び本明細書の記載により明らかとなる。
【発明の効果】
【０００９】
本発明によれば、排出管を通過する排ガスを採取するときのみ、採取管の採取口が排ガスの上流側を確実に向くように、作業員が一人で操作できる排ガス採取装置を提供することが可能となる。
【図面の簡単な説明】
【００１０】
【図１Ａ】蓋を取り付けた状態の排ガス測定座を示す側面図である。
【図１Ｂ】蓋を取り付けた状態の排ガス測定座を示す上面図である。
【図２Ａ】蓋を取り外した状態の排ガス測定座を示す側面図である。
【図２Ｂ】蓋を取り外した状態の排ガス測定座を示す上面図である。
【図３】本実施形態に係る排ガス採取装置を示す分解斜視図である。
【図４】本実施形態に係る排ガス採取装置を示す斜視図である。
【図５】本実施形態に係る排ガス採取装置を示す側面図である。
【図６】本実施形態に係る排ガス採取装置を示す上面図である。
【図７Ａ】本実施形態に係る排ガス採取装置の第１の取付手順を示す側面図である。
【図７Ｂ】本実施形態に係る排ガス採取装置の第１の取付手順を示す上面図である。
【図８Ａ】本実施形態に係る排ガス採取装置の第２の取付手順を示す側面図である。
【図８Ｂ】本実施形態に係る排ガス採取装置の第２の取付手順を示す上面図である。
【発明を実施するための形態】
【００１１】
本明細書および添付図面の記載により、少なくとも以下の事項が明らかとなる。尚、本実施形態において、排ガス採取装置は、例えば、火力発電所の煙道を流れる排ガスを試料として採取するときに用いられる装置であることとする。
【００１２】
＝＝＝排ガス測定座＝＝＝
図１Ａは、蓋を取り付けた状態の排ガス測定座を示す側面図である。図１Ｂは、蓋を取り付けた状態の排ガス測定座を示す上面図である。図２Ａは、蓋を取り外した状態の排ガス測定座を示す側面図である。図２Ｂは、蓋を取り外した状態の排ガス測定座を示す上面図である。尚、図１Ａ、図１Ｂ、図２Ａ、図２Ｂにおいて、排ガス測定座が設けられる煙道の左側から右側へ排ガスが流れることとする。つまり、煙道の左側が排ガスの上流側であり、煙道の右側が排ガスの下流側であることとする。又、図２Ａ及び図２Ｂにおいて、排ガスを実際に採取する場合、全ての蓋を取り外すことなく、適宜選択された排ガス測定座に取り付けられている蓋のみを取り外せばよい。
【００１３】
火力発電所に設けられる発電用ボイラ（燃焼システム）では、タービンを回転させるために、燃料（石油、石炭、液化天然ガス等）を燃焼させて水を熱することによって、高温高圧の蒸気を発生させている。
【００１４】
煙道１は、燃料が燃焼したときに発生する排ガスが後段の煙突（不図示）の出口から大気中に放出されるように、煙突の入口と結合される排出管である。本実施形態の場合、煙道１は、円筒形状を呈し、実質的に水平方向に沿って設置されることとする。
【００１５】
排ガス測定座２は、煙道１を流れる排ガスの一部を試料として採取するために、煙道１における上側の管壁３に設けられている。排ガス測定座２は、以下に説明する貫通孔４、突出管５、蓋６を含んで構成される。
【００１６】
貫通孔４は、煙道１の管壁３を貫通して形成される円形状を呈する孔である。
【００１７】
突出管５は、貫通孔４と連通するように管壁３から上方向に突出する円筒形状を呈する管である。突出管５は、突出管５における一方の開口５Ａが貫通孔４と重なるようにして、管壁３に結合されている。突出管５における他方の開口５Ｂの周囲には、円形状を呈する鍔部５Ｃが設けられている。鍔部５Ｃは、開口５Ｂと面一となるように設けられている。鍔部５Ｃにおいて、排ガスの下流側となる位置に目印５Ｄが設けられている。
【００１８】
蓋６は、煙道１を流れる排ガスを採取するときに開口５Ｂを開き、煙道１を流れる排ガスを採取しないときに開口５Ｂを閉じる開閉自在な蓋である。尚、蓋６は、煙道１を流れる排ガスを採取しないときは開口５Ｂを密閉する必要がある。例えば、万力（不図示）によって蓋６を開口５Ｂに固定してもよいし、蓋６と開口５Ｂとの間の接触箇所に螺子構造（不図示）を設けることによって蓋６を開口５Ｂに固定してもよい。とにかく、蓋６を開口５Ｂに対して密閉的に固定できる構造であれば、如何なる構造を採用してもよい。
【００１９】
排ガス測定座２は、煙道１の長手方向に沿って一定間隔を介して複数設けられている。
【００２０】
＝＝＝排ガス採取装置＝＝＝
図３は、本実施形態に係る排ガス採取装置を示す分解斜視図である。図４は、本実施形態に係る排ガス採取装置を示す斜視図である。図５は、本実施形態に係る排ガス採取装置を示す側面図である。図６は、本実施形態に係る排ガス採取装置を示す上面図である。
【００２１】
排ガス採取装置１０は、煙道１を流れる排ガスを試料として採取する装置であって、排ガス測定座２を介して煙道１に着脱自在に設置される。排ガス採取装置１０は、採取管１００、蓋部材２００、回転部材３００、固定部材４００を含んで構成される。
【００２２】
採取管１００は、煙道１を流れる排ガスを試料として採取するときに煙道１の内部に挿入される管である。採取管１００は、長尺の円柱形状を呈し、煙道１の内部に挿入される側の先端において、採取管１００の管壁１０１から離れる方向（採取管１００の長手方向とは直交する方向）を向いて開口する採取口１０２を有する。採取管１００は、採取口１０２が煙道１を流れる排ガスに曝されるように、開口５Ｂ、開口５Ａ、貫通孔４を通って煙道１の内部に挿入される。採取管１００は、採取口１０２が排ガスの上流側を向いた状態で排ガスを採取することとなる。尚、採取管１００によって採取された排ガスは、測定装置（不図示）に供給される。測定装置では、例えば、排ガスの量と煤塵（すす、粉塵等）の量とから、煤塵濃度を測定する。
【００２３】
蓋部材２００は、採取管１００が煙道１の内部に挿入されたとき、蓋６の代わりに開口５Ｂを閉じる部材である。蓋部材２００は、鍔部５Ｃの外径と実質的に同一の外径を有するとともにドーナツ形状を呈する平板部材である。蓋部材２００は、採取管１００が蓋部材２００を貫通するように挿入される挿入管２０１を有している。挿入管２０１は、円筒形状を呈し、蓋部材２００と同軸となる位置において、蓋部材２００の一方の面（開口５Ｂと対向する面）から突出するように設けられている。採取管１００は、採取口１０２が蓋部材２００における開口５Ｂと対向する面の側となるように、挿入管２０１に挿入される。つまり、採取管１００は、蓋部材２００とは独立して回転することとなる。蓋部材２００は、採取管１００に対して、採取管１００の採取口１０２が煙道１の内部に挿入されたときに鍔部５Ｃと重なり合って開口５Ｂを閉じる相対的な位置関係を有している。蓋部材２００は、蓋部材２００を介して鍔部５Ｃを透視するための透明又は半透明の扇形状を呈する領域２０２を有している。領域２０２には、開口５Ｂを閉じる際に鍔部５Ｃに対して位置決めを行うための目印２０３が設けられている。蓋部材２００は、例えば、目印２０３が鍔部５Ｃの目印５Ｄと一致する位置に位置決めされる。
【００２４】
回転部材３００は、挿入管２０１に挿入された採取管１００の採取口１０２が煙道１を流れる排ガスの下流側を向いた初期位置から上流側を向く位置まで、採取管１００を回転させる部材である。回転部材３００は、挿入管３０１及びレバー３０２を含んで構成される。挿入管３０１は、円筒形状を呈し、蓋部材２００における開口５Ｂとは対向しない面の側において、採取管１００を取り囲むように採取管１００に挿入される。挿入管３０１は、周方向に沿って等間隔で穿設される複数の雌螺子３０３を有し、複数の雄螺子３０４を複数の雌螺子３０３にそれぞれ螺合しつつ、複数の雄螺子３０４の先端を採取管１００の管壁１０１に押し当てることによって、採取管１００に対して一体的に固定される。レバー３０２は、採取管１００を回転させるときに作業者が操作する取っ手であって、挿入管３０１の管壁に対して一体的に形成される。採取管１００の管壁１０１には、採取口１０２の方向を示す直線状の目印１０３が長手方向に沿って設けられている。例えば、目印１０３としては、管壁１０１に直線状の突片を設けてもよいし、管壁１０１の色と区別される色の塗料を管壁１０１に塗布してもよい。挿入管３０１は、採取口１０２の方向とレバー３０２の方向とが一致するような相対的な位置関係を有して採取管１００に固定される。
【００２５】
回転部材３００は、採取管１００の採取口２０１が排ガスの上流側を向いたときに、蓋部材２００が鍔部５Ｃと重なり合った状態のまま動かなくなるように、蓋部材２００を鍔部５Ｃに固定するための補助部材としても機能する。挿入管３０１は、挿通孔３０５Ａ、３０５Ｂ、３０６Ａ、３０６Ｂを有する。挿通孔３０５Ａ、３０６Ａは、挿入管３０１における一方の半周側の管壁に対して周方向に沿って一定間隔を介して穿設されている。同様に、挿通孔３０５Ｂ、３０６Ｂは、挿入管３０１における他方の半周側の管壁に対して周方向に沿って一定間隔を介して穿設されている。
【００２６】
固定部材４００は、紐部材４０１Ａ、４０１Ｂ、固定具４０２Ａ、４０２Ｂ、係合片４０３Ａ、４０３Ｂを含んで構成される。
【００２７】
紐部材４０１Ａは、挿通孔３０５Ａ、３０６Ａに挿通される。固定具４０２Ａは、紐部材４０１Ａが挿入管３０１から外れないように、挿通孔３０５Ａから繰り出された紐部材４０１Ａの一端と結合され、紐部材４０１Ａのためのストッパーとして機能する。尚、挿通孔３０６Ａから繰り出された紐部材４０１Ａは、蓋部材２００における開口５Ｂとは対向しない側の面及び外周面に亘って半径方向に沿って延在するL字形状を呈する案内管２０４Ａに挿通される。そして、係合片４０３Ａは、案内管２０４Ａから垂下するように繰り出された紐部材４０１Ａの他端と結合される。係合片４０３Ａは、蓋部材２００が鍔部５Ｃと重なり合った状態を維持するように、紐部材４０１Ａの張力によって、鍔部５Ｃの蓋部材２００とは対向しない側の面５Ｅに係合する片である。つまり、係合片４０３Ａは、紐部材４０１Ａの一端が係止される挿通孔３０５Ａの位置に支持され、挿入管３０１の回転に連動して蓋部材２００を鍔部５Ｃに圧着させる片である。
【００２８】
同様に、紐部材４０１Ｂは、挿通孔３０５Ｂ、３０６Ｂに挿通される。固定具４０２Ｂは、紐部材４０１Ｂが挿入管３０１から外れないように、挿通孔３０５Ｂから繰り出された紐部材４０１Ｂの一端と結合され、紐部材４０１Ｂのためのストッパーとして機能する。尚、挿通孔３０６Ｂから繰り出された紐部材４０１Ｂは、蓋部材２００における開口５Ｂとは対向しない側の面及び外周面に亘って半径方向に沿って延在するL字形状を呈する案内管２０４Ｂに挿通される。案内管２０４Ｂは、蓋部材２００の軸を挟んで案内管２０４Ａが設置される位置とは反対側の位置に設置される。そして、係合片４０３Ｂは、案内管２０４Ｂから垂下するように繰り出された紐部材４０１Ｂの他端と結合される。係合片４０３Ｂは、蓋部材２００が鍔部５Ｃと重なり合った状態を維持するように、紐部材４０１Ｂの張力によって、鍔部５Ｃの蓋部材２００とは対向しない側の面５Ｅに係合する片である。つまり、係合片４０３Ｂは、紐部材４０１Ｂの一端が係止される挿通孔３０５Ｂの位置（挿入管３０１の回転軸を挟んで、紐部材４０１Ａの一端が係止される挿通孔３０５Ａの位置とは反対側の位置）に支持され、挿入管３０１の回転に連動して蓋部材２００を鍔部５Ｃに圧着させる片である。
【００２９】
尚、紐部材４０１Ａ、４０１Ｂは、挿入管３０１における管壁の周囲に巻き取ることが可能な金属製のワイヤであることが望ましい。又、紐部材４０１Ａ、４０１Ｂの長さは、採取管１００の採取口１０２が排ガスの上流側を向く位置まで挿入管３０１が回転したとき、係合片４０３Ａ、４０３Ｂに対して、蓋部材２００が鍔部５Ｃに重なり合って動かなくなることが可能な張力を付与する長さに設定される。
【００３０】
＝＝＝排ガス採取装置の取付手順＝＝＝
図７Ａは、本実施形態に係る排ガス採取装置の第１の取付手順を示す側面図である。図７Ｂは、本実施形態に係る排ガス採取装置の第１の取付手順を示す上面図である。図８Ａは、本実施形態に係る排ガス採取装置の第２の取付手順を示す側面図である。図８Ｂは、本実施形態に係る排ガス採取装置の第２の取付手順を示す上面図である。
【００３１】
＜＜第１の取付手順＞＞
先ず、排ガス採取装置１０を装着するべき排ガス測定座２から蓋６を取り外す。そして、挿入管３０１及び蓋部材２００の相対的な位置関係として、レバー３０２の方向を目印２０３の方向と一致させておき、採取管１００を開口５Ｂに挿入する。一方、領域２０２を介して鍔部５Ｃを確認しながら、目印２０３の方向が目印５Ｄの方向と一致するように蓋部材２００を鍔部５Ｃに重ね合わせる。これによって、採取管１００は、採取口１０２が排ガスの下流側を向いた状態で煙道１の内部に挿入される。そのため、採取管１００が排ガスを必要以上に採取して故障するような不都合は解消される。又、係合片４０３Ａ、４０３Ｂは、蓋部材２００における直径方向の両端の位置から、鍔部５Ｃの面５Ｅよりも下の位置まで、面５Ｅに係合せずに垂下した状態となっている。
【００３２】
＜＜第２の取付手順＞＞
次に、蓋部材２００を鍔部５Ｃに押し当てながら、レバー３０２を半回転させる。尚、蓋部材２００は、レバー３０２を半回転した位置に固定するロック機構（不図示）を有していることとする。採取管１００は、レバー３０２の回転に連動して半回転し、採取口１０２が排ガスの下流側を向いた状態から上流側を向いた状態に変わって、排ガスを採取することが可能な待機状態となる。一方、紐部材４０１Ａ、４０１Ｂは、レバー３０２の回転に連動して、挿入管３０１における管壁の周りに巻き取られ、これに伴って、係合片４０３Ａ、４０３Ｂを面５Ｅに向かって引き上げる。やがて、係合片４０３Ａ、４０３Ｂは、紐部材４０１Ａ、４０１Ｂの張力によって面５Ｅに押し当てられる。このとき、係合片４０３Ａ、４０３Ｂの窪みには、案内管２０４Ａ、２０４Ｂの先端が嵌入する。これによって、蓋部材２００は、鍔部５Ｃと重なり合ったまま動かない状態となる。そして、採取管１００によって採取された排ガスが測定装置に供給されることとなる。
【００３３】
尚、排ガス採取装置１０を排ガス測定座２から取り外す場合、上記の手順とは逆の手順を行えばよい。
【００３４】
以上説明したように、本実施形態に係る排ガス採取装置１０は、燃料が燃焼した後に発生する排ガスを排出する煙道１と、煙道１の管壁３を貫通する貫通孔４と、排ガスを採取するための開口５Ａ、５Ｂを有し、煙道１から貫通孔４を介して突出する突出管５と、を含んで構成される燃焼システムから、排ガスを採取する装置であって、長尺形状を呈し、煙道１内の排ガスを採取する採取管１００と、採取管１００と同軸となるように設けられ、採取管１００が突出管５及び貫通孔４を通って煙道１内に挿入されると、開口５Ｂの端に形成される鍔部５Ｃに重なり合って開口５Ｂを塞ぐ蓋部材２００と、採取管１００と同軸となるように設けられ、蓋部材２００が鍔部５Ｃに重なり合った状態において、採取管１００の先端に設けられる排ガスの採取口１０２が排ガスの上流側を向くように採取管１００を回転させる回転部材（３０１、３０２）と、回転部材３０１、３０２の回転に連動し、採取口１０２が排ガスの上流側を向くと、蓋部材２００が鍔部５Ｃから動かなくなるように固定する固定部材（４０１Ａ、４０１Ｂ、４０３Ａ、４０３Ｂ）と、を備えている。
【００３５】
そして、本実施形態に係る排ガス採取装置１０を採用することによって、レバー３０２を半回転させる簡単な操作のみで、採取管１００の採取口１０２を排ガスの上流側に向けるとともに、蓋部材２００を鍔部５Ｃに重ね合わせたまま動かないように固定することが可能になる。
【００３６】
又、本実施形態に係る排ガス採取装置１０において、上記の固定部材は、紐部材４０１Ａと、紐部材４０１を介して挿入管３０１の第１位置（挿通孔３０５Ａの位置）に支持される係合片４０３Ａと、紐部材４０１Ｂと、紐部材４０１Ｂを介して挿入管３０１の回転軸を境として第１位置とは反対側の第２位置（挿通孔３０５Ｂの位置）に支持される係合片４０３Ｂと、を含み、採取口１０２が排ガスの上流側を向く位置まで挿入管３０１が回転すると、係合片４０３Ａは、紐部材４０１Ａが挿入管３０１の管壁に巻き取られることによって、蓋部材２００が鍔部５Ｃから動かなくなるように鍔部５Ｃに係合し、係合片４０３Ｂは、紐部材４０１Ｂが挿入管３０１の管壁に巻き取られることによって、蓋部材２００が鍔部５Ｃから動かなくなるように鍔部５Ｃに係合する。
【００３７】
又、本実施形態に係る排ガス採取装置１０において、採取口１０２が排ガスの上流側を向く位置まで挿入管３０１が回転すると、係合片４０３Ａは、蓋部材２００及び鍔部５Ｃの端から垂下した状態から引き上げられて、鍔部５Ｃの蓋部材２００とは反対側の面５Ｅに係合し、係合片４０３Ｂは、蓋部材２００の中心を境として蓋部材２００及び鍔部５Ｃにおける上記の端とは反対側の端から垂下した状態から引き上げられて、鍔部５Ｃの蓋部材２００とは反対側の面５Ｅに係合する。
【００３８】
又、本実施形態に係る排ガス採取装置１０において、蓋部材２００は、挿入管３０１が半回転したときに採取口１０２が排ガスの上流側を向くように、鍔部５Ｃに対する固定位置を決定する目印２０３を含んで構成されている。
【００３９】
このように、本実施形態に係る排ガス採取装置１０を採用することによって、簡単な構造で、採取管１００の採取口１０２を排ガスの上流側に向けるとともに、蓋部材２００を鍔部５Ｃに重ね合わせたまま動かないように固定することが可能になる。
【００４０】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４１】
１  煙道
２  排ガス測定座
３  管壁
４  貫通孔
５  突出管
５Ａ、５Ｂ  開口
５Ｃ  鍔部
５Ｄ  目印
５Ｅ  面
６  蓋
１０  排ガス採取装置
１００  採取管
１０１  管壁
１０２  採取口
１０３  目印
２００  蓋部材
２０１  挿入管
２０２  領域
２０３  目印
２０４Ａ、２０４Ｂ  案内管
３００  回転部材
３０１  挿入管
３０２  レバー
３０３  雌螺子
３０４  雄螺子
３０５Ａ、３０５Ｂ、３０６Ａ、３０６Ｂ  挿通孔
４００  固定部材
４０１Ａ、４０１Ｂ  紐部材
４０２Ａ、４０２Ｂ  固定具
４０３Ａ、４０３Ｂ  係合片
【図１Ａ】
2019056576.tif 000003
【図１Ｂ】
2019056576.tif 000004
【図２Ａ】
2019056576.tif 000005
【図２Ｂ】
2019056576.tif 000006
【図３】
2019056576.tif 000007
【図４】
2019056576.tif 000008
【図５】
2019056576.tif 000009
【図６】
2019056576.tif 000010
【図７Ａ】
2019056576.tif 000011
【図７Ｂ】
2019056576.tif 000012
【図８Ａ】
2019056576.tif 000013
【図８Ｂ】
2019056576.tif 000014